(57)【要約】【課題】光ノード装置の単一波長あたりの入力信号光パワーの変化があっても、単一波長あたりの出力信号光パワーを一定に制御する。【解決手段】マルチコアファイバを伝送する光を一括して増幅するマルチコア光増幅部と、増幅された各コアの光それぞれを、複数の入力側シングルコアファイバに入力する分離部と、複数の入力側シングルコアファイバから入力した光それぞれを光減衰器により減衰した後に波長分離し、出力先に応じた出力側シングルコアファイバに出力する光クロスコネクトスイッチと、複数の出力側シングルコアファイバそれぞれを伝送する光を増幅する複数のシングルコア光増幅部と、複数の出力側シングルコアファイバそれぞれを伝送した光をマルチコアファイバに出力する出力部とを備える。制御部は、入力信号光パワーと出力光信号パワーとに基づいて光減衰器及びシングルコア光増幅部を制御する。【選択図】図１
2019139029.tif 000002
【特許請求の範囲】
【請求項１】
マルチコアファイバを有し、前記マルチコアファイバの複数のコアそれぞれを伝送する光を一括して増幅するマルチコア光増幅部と、
前記マルチコアファイバの複数の前記コアそれぞれを伝送した前記光を、複数の入力側シングルコアファイバそれぞれに入力する分離部と、
複数の前記入力側シングルコアファイバから入力した光それぞれを光減衰器により個別に減衰した後に波長により分離し、分離した前記光それぞれを、複数の出力側シングルコアファイバのうち当該光の出力先に応じた前記出力側シングルコアファイバに出力する光クロスコネクトスイッチと、
複数の前記出力側シングルコアファイバそれぞれに対応し、対応する前記出力側シングルコアファイバを伝送する前記光を増幅する複数のシングルコア光増幅部と、
複数の前記出力側シングルコアファイバそれぞれを伝送した前記光を、伝送マルチコアファイバの複数のコアそれぞれに出力する出力部と、
前記マルチコア光増幅部による増幅前の光パワーである入力信号光パワーと、前記シングルコア光増幅部による増幅後の光パワーである出力光信号パワーとに基づいて前記光減衰器及び前記シングルコア光増幅部を制御する制御部と、
を備える光ノード装置。
【請求項２】
前記制御部は、前記入力信号光パワーと前記光の波長数とに基づいて算出した減衰量を用いて前記光減衰器を制御する、
請求項１に記載の光ノード装置。
【請求項３】
前記制御部は、算出した前記減衰量に、前記入力信号光パワーに基づいて利得チルトの補正を行った結果を用いて前記光減衰器を制御する、
請求項２に記載の光ノード装置。
【請求項４】
前記制御部は、前記光の波長数に基づいて決定した目標利得を、前記入力信号光パワーに基づいて補正し、補正した前記目標利得と前記入力信号光パワー及び前記出力光信号パワーに基づいて得られる利得とに基づいて前記シングルコア光増幅部を制御する、
請求項１から請求項３のいずれか一項に記載の光ノード装置。
【請求項５】
前記制御部は、前記出力光信号パワーを前記入力信号光パワーに基づいて補正し、前記入力信号光パワー及び補正した前記出力光信号パワーに基づいて算出した利得と、前記光の波長数に基づいて決定した目標利得とに基づいて前記シングルコア光増幅部を制御する、
請求項１から請求項３のいずれか一項に記載の光ノード装置。
【請求項６】
前記光クロスコネクトスイッチは、
複数の前記入力側シングルコアファイバそれぞれに対応し、対応する前記入力側シングルコアファイバから入力した前記光を減衰させる複数の前記光減衰器と、
複数の前記光減衰器それぞれに対応し、対応する前記光減衰器において減衰させた前記光それぞれを波長により分離し、分離した前記光それぞれを当該光の出力先に応じて出力する複数の入力側波長選択スイッチと、
前記出力先それぞれに対応し、複数の前記入力側波長選択スイッチから対応する前記出力先に応じて出力された前記光を合波して、前記出力先に応じた前記出力側シングルコアファイバに出力する複数の出力側波長選択スイッチとを備え、
前記制御部は、前記入力側波長選択スイッチ及び前記出力側波長選択スイッチにおける各波長の光パワーを揃えるように減衰量を調整する、
請求項１から請求項５のいずれか一項に記載の光ノード装置。
【請求項７】
前記光の波長は、１５６５ｎｍ以上かつ１６２５ｎｍ以下であり、
前記マルチコア光増幅部が有する前記マルチコアファイバは、内側クラッドの半径が８０ミクロンより大きくかつコア数が１８以下のクラッド励起エルビウム添加ファイバである、
請求項１から請求項６のいずれか一項に記載の光ノード装置。
【発明の詳細な説明】
【技術分野】
【０００１】
本発明は、光ノード装置に関する。
【背景技術】
【０００２】
光伝送システムの伝送容量を飛躍的に増大させるために、１本のファイバに複数コアを有するマルチコアファイバを伝送路に用いたマルチコア光伝送システムの開発が進められている。マルチコアファイバの各コアに、それぞれ異なる情報を伝送する波長分割多重（ＷＤＭ）信号を伝搬させることで、１本に１コアを有するファイバを伝送路として用いる従来の場合と比較して、飛躍的に伝送容量を増大させることができる。
【０００３】
長距離のマルチコア光伝送システムでは、従来の単一コアファイバを伝送路とする光伝送システムと同様に、伝送中に強度が小さくなった信号光を増幅するため、マルチコアファイバ増幅器は必要不可欠である。マルチコアファイバ増幅器の構成として、ダブルクラッド希土類添加ファイバと、高出力マルチモード励起光源１台とを用いたクラッド励起マルチコア光増幅が報告されている（例えば、非特許文献１参照）。ダブルクラッド希土類添加ファイバは、希土類イオンを添加した複数のコアと、ダブルクラッド構造（内側の第１クラッド、外側の第２クラッド）とを有しており、第１クラッド材屈折率はコアガラス屈折率より小さく第２クラッド材屈折率より大きい。このような構成のマルチコアファイバ増幅器により、低消費電力化が期待されている。
【０００４】
一般的にＷＤＭシステムにおいては、光増幅器がＷＤＭ信号を増幅する場合、ＷＤＭ信号波長数の増減に対して、常に一定の波長依存性をもった利得を得るために利得制御が必要となる。このことは、マルチコアファイバを用いたシステムにおいても同様である。クラッド励起マルチコアファイバ増幅器は少ない励起光源で増幅可能で、高出力マルチモード半導体レーザ（ＬＤ）を使用すれば、励起光源は１台で済む場合もある。しかしながら、コア数より励起光源数が少ないことから、各コアの利得・出力光パワーを独立に制御することが困難であるという課題がある。そのため、コア励起とクラッド励起とを組み合わせたマルチコア光ファイバ増幅器が開発されている（例えば、非特許文献２参照）。
【先行技術文献】
【非特許文献】
【０００５】
【非特許文献１】Y. Mimura，外６名，“Batch multicore amplification with cladding-pumped multicore EDF”，Proc. ECOC2012，paper Tu.4.F.1.，2012年
【非特許文献２】小野  浩孝，外５名，“クラッド励起及びコア直接励起のハイブリッド励起を用いたMC-EDFA利得制御の検討”，一般社団法人  電子情報通信学会，信学技報OCS2014-116，2015年，p.111-115
【発明の概要】
【発明が解決しようとする課題】
【０００６】
非特許文献２において示されているマルチコア光ファイバ増幅器は、利得一定制御である。そのため、１波長あたりの入力信号光パワーの変化に応じて、マルチコア光ファイバ増幅器出力における１波長あたりの出力信号光パワーも変化する。すなわち、例えば１波長あたりの入力信号光パワーが５ｄＢ増加（減少）すると、１波長あたりの出力信号光パワーも５ｄＢ増加（減少）する。
【０００７】
一方で、光ノードにおいて光ファイバ増幅器を適用する際には、１波長あたりの入力信号光パワーの変化があっても、１波長あたりの出力信号光パワーを一定に制御する利得制御が必要となる場合がある。しかしながら、これまで研究開発されているマルチコア光ファイバ増幅器は上述のように利得一定制御のみであり、このままでは光ノードへ適用することは困難であった。
【０００８】
上記事情に鑑み、本発明は、単一波長あたりの入力信号光パワーの変化があっても、単一波長あたりの出力信号光パワーを一定に制御できる光ノード装置を提供することを目的としている。
【課題を解決するための手段】
【０００９】
本発明の一態様は、マルチコアファイバを有し、前記マルチコアファイバの複数のコアそれぞれを伝送する光を一括して増幅するマルチコア光増幅部と、前記マルチコアファイバの複数の前記コアそれぞれを伝送した前記光を、複数の入力側シングルコアファイバそれぞれに入力する分離部と、複数の前記入力側シングルコアファイバから入力した光それぞれを光減衰器により個別に減衰した後に波長により分離し、分離した前記光それぞれを、複数の出力側シングルコアファイバのうち当該光の出力先に応じた前記出力側シングルコアファイバに出力する光クロスコネクトスイッチと、複数の前記出力側シングルコアファイバそれぞれに対応し、対応する前記出力側シングルコアファイバを伝送する前記光を増幅する複数のシングルコア光増幅部と、複数の前記出力側シングルコアファイバそれぞれを伝送した前記光を、伝送マルチコアファイバの複数のコアそれぞれに出力する出力部と、前記マルチコア光増幅部による増幅前の光パワーである入力信号光パワーと、前記シングルコア光増幅部による増幅後の光パワーである出力光信号パワーとに基づいて前記光減衰器及び前記シングルコア光増幅部を制御する制御部と、を備える光ノード装置である。
【００１０】
本発明の一態様は、上述の光ノード装置であって、前記制御部は、前記入力信号光パワーと前記光の波長数とに基づいて算出した減衰量を用いて前記光減衰器を制御する。
【００１１】
本発明の一態様は、上述の光ノード装置であって、前記制御部は、算出した前記減衰量に、前記入力信号光パワーに基づいて利得チルトの補正を行った結果を用いて前記光減衰器を制御する。
【００１２】
本発明の一態様は、上述の光ノード装置であって、前記制御部は、前記光の波長数に基づいて決定した目標利得を、前記入力信号光パワーに基づいて補正し、補正した前記目標利得と前記入力信号光パワー及び前記出力光信号パワーに基づいて得られる利得とに基づいて前記シングルコア光増幅部を制御する。
【００１３】
本発明の一態様は、上述の光ノード装置であって、前記制御部は、前記出力光信号パワーを前記入力信号光パワーに基づいて補正し、前記入力信号光パワー及び補正した前記出力光信号パワーに基づいて算出した利得と、前記光の波長数に基づいて決定した目標利得とに基づいて前記シングルコア光増幅部を制御する。
【００１４】
本発明の一態様は、上述の光ノード装置であって、前記光クロスコネクトスイッチは、複数の前記入力側シングルコアファイバそれぞれに対応し、対応する前記入力側シングルコアファイバから入力した前記光を減衰させる複数の前記光減衰器と、複数の前記光減衰器それぞれに対応し、対応する前記光減衰器において減衰させた前記光それぞれを波長により分離し、分離した前記光それぞれを当該光の出力先に応じて出力する複数の入力側波長選択スイッチと、前記出力先それぞれに対応し、複数の前記入力側波長選択スイッチから対応する前記出力先に応じて出力された前記光を合波して、前記出力先に応じた前記出力側シングルコアファイバに出力する複数の出力側波長選択スイッチとを備え、前記制御部は、前記入力側波長選択スイッチ及び前記出力側波長選択スイッチにおける各波長の光パワーを揃えるように減衰量を調整する。
【００１５】
本発明の一態様は、上述の光ノード装置であって、前記光の波長は、１５６５ｎｍ以上かつ１６２５ｎｍ以下であり、前記マルチコア光増幅部が有する前記マルチコアファイバは、内側クラッドの半径が８０ミクロンより大きくかつコア数が１８以下のクラッド励起エルビウム添加ファイバである。
【発明の効果】
【００１６】
本発明により、光ノード装置における単一波長あたりの入力信号光パワーの変化があっても、単一波長あたりの出力信号光パワーを一定に制御することが可能となる。
【図面の簡単な説明】
【００１７】
【図１】本発明の一実施形態による光ノード装置の構成を示すブロック図である。
【図２】同実施形態によるクロスコネクトスイッチの構成を示すブロック図である。
【図３】同実施形態による光ノード装置における一部の経路を抜き出した図である。
【図４】同実施形態による制御器の動作の一例を示す図である。
【図５】同実施形態による制御器の動作の一例を示す図である。
【図６】同実施形態による制御器の動作の一例を示す図である。
【図７】同実施形態による光ノード装置の透過利得スペクトル例を示す図である。
【図８】同実施形態による光ノード装置の透過利得スペクトル例を示す図である。
【図９】同実施形態による光ノード装置をＣ帯に適用したときのクラッド励起マルチコア光増幅器のコアの利得変化を示す図である。
【図１０】同実施形態による光ノード装置をＣ帯に適用したときのクラッド励起マルチコア光増幅器のコアの利得変化を示す図である。
【図１１】同実施形態による光ノード装置をＬ帯に適用したときのクラッド励起マルチコア光増幅器のコアの利得変化を示す図である。
【図１２】同実施形態による光ノード装置をＬ帯に適用したときのクラッド励起マルチコア光増幅器のコアの利得変化を示す図である。
【発明を実施するための形態】
【００１８】
以下、図面を参照しながら本発明の実施形態を詳細に説明する。本実施形態は、光ファイバ通信で使用される光ノード装置及び光パワー制御に関する。
【００１９】
図１は、本発明の一実施形態による光ノード装置１０１−１〜１０１−Ｍ（Ｍは１以上の整数）の構成を示すブロック図である。光ノード装置１０１−１〜１０１−Ｍは同様の構成であり、光ノード装置１０１−１〜１０１−Ｍを総称して、又は、いずれかを特定しないときには光ノード装置１０１と記載する。光ノード装置１０１−ｍ（ｍは１以上Ｍ以下の整数）は、コア数がＮ個（Ｎは２以上の整数）の伝送マルチコアファイバ２０１−１ｍから光を入力し、伝送マルチコアファイバ２０１−２ｍへ光を出力する。
【００２０】
光ノード装置１０１は、クロスコネクトスイッチ１と、クラッド励起マルチコア光増幅器２と、コア励起シングルコア光増幅器３−１〜３−Ｎと、ファンアウト４−１〜４−３と、光分岐器５−１、５−２１〜５−２Ｎと、光パワー検出器６−１１〜６−１Ｎ、６−２１〜６−２Ｎと、制御器７とを備える。ファンアウト４−１〜４−３は、マルチコアファイバとシングルコアファイバを変換する。
【００２１】
光ノード装置１０１−ｍの光分岐器５−１は、伝送マルチコアファイバ２０１−１ｍから入力した光のパワーを分岐し、クラッド励起マルチコア光増幅器２との間のマルチコアファイバ及びファンアウト４−３との間のマルチコアファイバに出力する。クラッド励起マルチコア光増幅器２は、光分岐器５−１から入力した光を増幅し、ファンアウト４−１との間のマルチコアファイバに出力する。ファンアウト４−１は、光分岐器５−１との間のマルチコアファイバのＮ個の各コアにより入力した光をそれぞれ、Ｎ本のシングルコアファイバに出力する。クロスコネクトスイッチ１は、ファンアウト４−１が出力した光をＮ本のシングルコアファイバから入力する。クロスコネクトスイッチ１は、各シングルコアファイバから入力した光をそれぞれ光減衰器により個別に減衰し、減衰させた光をそれぞれ波長により分離する。クロスコネクトスイッチ１は、分離した光を、コア励起シングルコア光増幅器３−１〜３−Ｎそれぞれとの間のシングルコアファイバのうち当該光の出力先に応じたシングルコアファイバに出力する。
【００２２】
コア励起シングルコア光増幅器３−１〜３−Ｎは、クロスコネクトスイッチ１が出力した光をシングルコアファイバから入力する。コア励起シングルコア光増幅器３−ｎは、増幅した光を光分岐器５−２ｎに出力する。光分岐器５−２ｎは、コア励起シングルコア光増幅器３−ｎから入力した光のパワーを分岐し、ファンアウト４−２及び光パワー検出器６−２ｎに出力する。ファンアウト４−２は、光分岐器５−２１〜５−２Ｎが出力した光をそれぞれシングルコアファイバにより入力する。光ノード装置１０１−ｍのファンアウト４−２は、Ｎ本の各シングルコアファイバから入力した光をそれぞれ、伝送マルチコアファイバ２０１−２ｍのＮ個のコアに入力する。
【００２３】
ファンアウト４−３は、光分岐器５−１との間のマルチコアファイバのＮ個の各コアにより入力した光をそれぞれ、Ｎ本のシングルコアファイバに入力する。光パワー検出器６−１１〜６−１Ｎはそれぞれ、ファンアウト４−３が出力した光をシングルコアファイバから入力する。光パワー検出器６−１１〜６−１Ｎは、入力した光パワーの検出結果を表す信号を制御器７に出力する。一方、光パワー検出器６−２ｎは、光分岐器５−２ｎが出力した光をシングルコアファイバから入力する。光パワー検出器６−２１〜６−２Ｎは、入力した光パワーの検出結果を表す信号を制御器７に出力する。制御器７は、光パワー検出器６−１１〜６−１Ｎ、６−２１〜６−２Ｎにおける検出結果に基づいて、クロスコネクトスイッチ１とコア励起シングルコア光増幅器３−１〜３−Ｎを制御する。これにより、制御器７は、光ノード装置１０１における透過利得を制御することができる。
【００２４】
図２は、図１に示すクロスコネクトスイッチ１の構成を示すブロック図である。同図に示すように、クロスコネクトスイッチ１は、可変光減衰器１１−１〜１１−Ｎと、波長選択スイッチ１２−１１〜１２−１Ｎ、１２−２１〜１２−２Ｎとを有する。可変光減衰器１１−１〜１１−Ｎは、ファンアウト４−１が出力した光をシングルコアファイバにより入力する。可変光減衰器１１−ｎは、入力した光を制御器７の制御に従って減衰し、波長選択スイッチ１２−１ｎに出力する。波長選択スイッチ１２−１ｎは、可変光減衰器１１−ｎから光を入力して波長ごとに分離する。波長選択スイッチ１２−１１〜１２−１Ｎは、分離した光を、各波長の光の出力先に従って波長選択スイッチ１２−２１〜１２−２Ｎ等に出力する。波長選択スイッチ１２−２ｎは、波長選択スイッチ１２−１１〜１２−１Ｎから入力した光を合波し、コア励起シングルコア光増幅器３−ｎに出力する。
【００２５】
図３は、図１に示す光ノード装置１０１−１における一部の経路を抜き出した図である。この経路は、伝送マルチコアファイバ２０１−１１、クラッド励起マルチコア光増幅器２、クロスコネクトスイッチ１、コア励起シングルコア光増幅器３−１、伝送マルチコアファイバ２０１−２１を含む。本図を用いて本実施形態の光ノード装置１０１による光パワー制御を説明する。
【００２６】
同図に示すクラッド励起マルチコア光増幅器２は、増幅用のマルチコアファイバ２１と、増幅用のマルチコアファイバ２１に添加された活性イオンを励起する励起光源２２と、励起光と信号光を合波又は分波する合分波器２３−１、２３−２とを備える。マルチコアファイバ２１は、ダブルクラッド６コアエルビウム添加ファイバである。励起光源２２は、マルチモード９８０ｎｍ帯半導体レーザ（ＬＤ）である。合分波器２３−１、２３−２の光アイソレータ側のファイバはシングルクラッド６コアファイバ、増幅用マルチコアファイバ側のファイバはダブルクラッド６コアファイバ、励起光源側のファイバはシングルクラッドマルチモードである。合分波器２３−１、２３−２は、レンズ光学系で両マルチコアファイバの対応するコアを結合すると共に、ダイクロイックミラーにより励起光と信号光を合波してマルチコアファイバへ結合させる機能を有している。また、合分波器２３−１、２３−２は、光アイソレータを内蔵している。
【００２７】
同図に示すコア励起シングルコア光増幅器３−１は、増幅用のシングルコアファイバ３１と、増幅用のシングルコアファイバに添加された活性イオンを励起する励起光源３２−１、３２−２と、励起光と信号光を合波又は分波する合分波器３３−１、３３−２とを備える。本実施形態において、シングルコアファイバ３１は、シングルコアエルビウム添加ファイバである。励起光源３２−１、３２−２は、シングルモード９８０ｎｍ帯半導体レーザ（ＬＤ）である。合分波器３３−ｉ（ｉ＝１，２）は、励起光源３２−ｉからの励起光と信号光とを合波する。合分波器３３−１、３３−２は、ＷＤＭファイバカプラを用いており、光アイソレータが融着接続されている。合分波器３３−１、３３−２として誘電体多層膜フィルタとレンズにより構成されるバルク型ＷＤＭカプラを用いる場合もある。
【００２８】
光ノード装置１０１へ入力する信号光及び増幅され出力される信号光は、それぞれその光パワーの一部が光分岐器５−１及び５−２１で分岐される。光分岐器５−１において分岐された信号光パワーは、ファンアウト４−３でマルチコアからシングルコアへ変換される。ファンアウト４−３でシングルコアへ変換された光信号パワー及び光分岐器５−２１において分岐された信号光パワーはそれぞれ、光パワー検出器６−１１及び６−２１において光パワーに対応する電気信号（電圧値）に変換され、電気信号が制御器７へ送られる。これらの電気信号はそれぞれ、入力信号光パワー及び出力信号光パワーに１：１で対応した値であり、制御器７ではこれらの電気信号の演算により増幅利得又は出力信号光パワーが所望の値となるように可変光減衰器１１−１の減衰量を調整したり、コア励起シングルコア光増幅器３−１のシングルモード９８０ｎｍ帯ＬＤの駆動電流を調整し、９８０ｎｍ帯ＬＤが出力する励起光パワーを増減させたりする。
【００２９】
図４は、制御器７の動作の一例を示す図である。制御器７は、波長数情報を別途、監視制御チャネル（不図示）から取得する。制御器７は、光パワー検出器６−１１における検出値と波長数情報により、単一波長あたり信号光パワーを演算する（ステップＳ１０５）。制御器７は、この単一波長あたり信号光パワーに基づき、可変光減衰器１１−１〜１１−Ｎの予め設定された減衰量設定値を決定する（ステップＳ１１０）。例えば、制御器７は、信号光パワーと減衰量設定値とが対応付けられたルックアップテーブルと補間演算により減衰量設定値を決定することができる。制御器７は、決定した減衰量設定値により、可変光減衰器１１−１〜１１−Ｎそれぞれの減衰量を調整する。また、波長選択スイッチ１２−１１及び１２−２１は、各信号波長の光パワーを検出する手段を備えており、制御器７は、その検出結果に基づき各信号波長の光パワーを揃えるように、波長選択スイッチ１２−１１及び１２−２１における減衰量を調整する（ステップＳ１１５）。
【００３０】
また、制御器７は、単一波長あたり信号光パワーに基づいて目標利得を算出し（ステップＳ１２０）、光パワー検出器６−１１の検出結果に基づいて自然放出増幅光（ＡＳＥ）補正値を算出する（ステップＳ１２５）。制御器７は、目標利得に対してＡＳＥ補正値によりＡＳＥ補正を行い、ＰＩＤ演算の目標値として設定する（ステップＳ１３０）。制御器７は、光パワー検出器６−１１及び６−２１の検出結果に基づき利得を演算し（ステップＳ１３５）、利得の演算結果とＰＩＤ演算の目標値との偏差に基づくＰＩＤ演算の結果から（ステップＳ１４０）、ＬＤ駆動調整値を得る（ステップＳ１４５）。制御器７は、得られたＬＤ駆動調整値により、励起光源３２−１、３２−２であるシングルモード９８０ｎｍ帯ＬＤの駆動電流を調整する。
【００３１】
図５は、制御器７の動作の他の例を示す図である。同図において、図４と同一の動作には同一の符号を付している。図４ではステップＳ１２５において演算したＡＳＥ補正値を目標利得の補正に用いているが、図５に示すように、光パワー検出器６−２１から得られる出力値に対して補正を行うために用いることも可能である（ステップＳ２０５）。制御器７は、光パワー検出器６−２１の検出値にＡＳＥ補正を行った結果と、光パワー検出器６−１１の検出値とに基づいて利得を算出する（ステップＳ２１０）。制御器７は、ステップＳ１２０において算出した目標利得と、ステップＳ２１０において算出した利得との偏差を用いてＰＩＤ演算を行い（ステップＳ２１５）、ＬＤ駆動調整値を得る（ステップＳ１４５）。制御器７は、ＬＤ駆動調整値により、シングルモード９８０ｎｍ帯ＬＤの駆動電流を調整する。
【００３２】
図６は、制御器７の動作のさらに他の例を示す図である。同図において、図４と同一の動作には同一の符号を付している。制御器７は、利得チルト（利得スペクトルの波長に対する傾斜）を補正するように、光パワー検出器６−１１の検出結果に基づいて利得チルト補正減衰量を算出する（ステップＳ３０５）。制御器７は、利得チルト補正減衰量を、ステップＳ１１０と同様に算出したＶＯＡ（可変光減衰器）の減衰量設定値に加算（又は減算）する（ステップＳ３１０）。これにより、より高精度に利得制御を行うことができる。
【００３３】
図７及び図８は、本実施形態の光ノード装置１０１の透過利得スペクトル例を示す図である。図７は、ＷＤＭ信号の単一波長あたりの入力信号光パワーが−１０ｄＢｍから−２０ｄＢｍまで変化したときの制御結果を示している。単一波長あたりの入力信号光パワーは、符号Ａ１及び符号Ｂ１が−２０ｄＢｍ、符号Ａ２及び符号Ｂ２が−１７ｄＢｍ、符号Ａ３及び符号Ｂ３が−１４ｄＢｍ、符号Ａ４及び符号Ｂ４が−１０ｄＢｍである。また、符号Ａ１、Ａ２、Ａ３及びＡ４は、利得チルト補正がない場合であり、符号Ｂ１、Ｂ２、Ｂ３及びＢ４は、利得チルト補正を行った制御である。いずれの入力信号光パワーにおいても、利得チルト制御がない場合は若干の利得チルトが残るものの、単一波長あたりの光ノード出力信号光パワーは−２ｄＢｍに制御できており、利得チルト補正を行った場合は、全信号波長において利得が等しく制御できている。
【００３４】
図８は、ＷＤＭ信号の波長数が異なる信号光入力に対する透過利得スペクトルを示している。黒丸は波長数４０のときの各波長の利得値を示し、白丸は波長数１のときのそれぞれの波長における利得値を示している。同図において、波長数１のときのそれぞれの波長における利得値は、波長数４０のときの利得値に対して０．２ｄＢ以下の範囲にあることがわかる。このことから、本実施形態のマルチコアファイバ光増幅器では入力するＷＤＭ信号の波長数が異なっても、それぞれの信号波長においてほぼ一定の利得となるように制御できていることがわかる。
【００３５】
なお、上述した本実施形態の各光ノード装置１０１はコア励起シングルコア光増幅器３−１〜３−Ｎを有しているが、コア励起シングルコア光増幅器３−１〜３−Ｎに代えて、複数の光ノード装置１０１で１台のコア励起マルチコア光増幅器を共用して用いることでも同じ効果が得られる。
【００３６】
ところで、本実施形態の光ノード装置１０１は、ＷＤＭ信号波長帯としてＣ帯（１５３０〜１５６５ｎｍ）及びＬ帯（１５６５〜１６２５ｎｍ）の両方の波長帯に適用できるが、Ｌ帯に適用する場合はクラッド励起マルチコア光増幅器２のコア数及び増幅用のマルチコアファイバ２１において励起光が伝搬する内側クラッドの半径に制限がある。
【００３７】
図９及び図１０は、本実施形態の光ノード装置１０１をＣ帯に適用したときのクラッド励起マルチコア光増幅器２のコアの利得変化を示す図である。これらの図は、Ｃ帯のクラッド励起マルチコア光増幅器２の一つのコアに着目したとき、他のコアへ入力するＷＤＭ信号波長数が全て４０〜１へ変化した際に、着目しているコアの利得変化の内側クラッド半径依存性（図９）、及び、コア数依存性（図１０）を示している。
【００３８】
図１１及び図１２は、本実施形態の光ノード装置１０１をＬ帯に適用したときのクラッド励起マルチコア光増幅器２について、図９及び図１０と同様の利得変化を示したものである。図１１は、着目しているコアの利得変化の内側クラッド半径依存性を、図１２は、コア数依存性を示している。図９及び図１０から、Ｃ帯では、いずれの条件においても利得変化が０．１ｄＢ未満であり、あるコアの利得に着目した場合に他コアの変化の影響は無視できることがわかる。一方で、図１１及び図１２に示すように、Ｌ帯の場合は内側クラッド半径が８０μｍ以下、コア数１８超の場合に利得変化が０．２ｄＢとなり、上述した制御に大きな誤差を生じることになる。したがって、増幅用のマルチコアファイバ２１の内側クラッド半径やコア数にＣ帯では特に制限はないものの、Ｌ帯では内側クラッド半径が８０μｍ（ミクロン）より大きく、コア数は１８以下の制限が必要となることがわかる。
【００３９】
上述した実施形態によれば、光ノード装置は、マルチコア光増幅部と、分離部と、光クロスコネクトスイッチと、複数のシングルコア光増幅部と、出力部と、制御部とを備える。例えば、マルチコア光増幅部はクラッド励起マルチコア光増幅器２であり、分離部はファンアウト４−１であり、光クロスコネクトスイッチはクロスコネクトスイッチ１であり、シングルコア光増幅部はコア励起シングルコア光増幅器３−１〜３−Ｎであり、出力部はファンアウト４−２であり、制御部は制御器７である。
【００４０】
マルチコア光増幅部は、マルチコアファイバを有し、マルチコアファイバの複数のコアそれぞれを伝送する光を一括して増幅する。マルチコアファイバは、例えば、クラッド励起エルビウム添加ファイバである。分離部は、マルチコアファイバの複数のコアそれぞれを伝送し、増幅された光を、複数の入力側シングルコアファイバそれぞれに入力する。光クロスコネクトスイッチは、複数の入力側シングルコアファイバから入力した光それぞれを光減衰器により個別に減衰した後に波長により分離し、分離した光それぞれを、複数の出力側シングルコアファイバのうち当該光の出力先に応じた出力側シングルコアファイバに出力する。複数のシングルコア光増幅部それぞれは、複数の出力側シングルコアファイバそれぞれを伝送する光を増幅する。出力部は、複数の出力側シングルコアファイバそれぞれを伝送し、増幅された光を、マルチコアファイバの複数のコアそれぞれに出力する。制御部は、マルチコア光増幅部による増幅前の光パワーである入力信号光パワーと、シングルコア光増幅部による増幅後の光パワーである出力光信号パワーとに基づいて、光減衰器及びシングルコア光増幅部を制御する。
【００４１】
制御部は、入力信号光パワーと光の波長数とに基づいて算出した減衰量を用いて光減衰器を制御する。あるいは、制御部は、この算出した減衰量に、入力信号光パワーに基づいて利得チルトの補正を行った結果を用いて光減衰器を制御してもよい。また、制御部は、波長数に基づいて決定した目標利得を入力信号光パワーに基づいて補正し、補正した目標利得と入力信号光パワー及び出力光信号パワーに基づいて得られる利得とに基づいてシングルコア光増幅部を制御する。あるいは、制御部は、出力光信号パワーを入力信号光パワーに基づいて補正し、入力信号光パワー及び補正した出力光信号パワーに基づいて算出した利得と、波長数に基づいて決定した目標利得とに基づいてシングルコア光増幅部を制御してもよい。
【００４２】
光クロスコネクトスイッチは、入力側シングルコアファイバそれぞれに対応した複数の光減衰器と、各光減衰器に対応した複数の入力側波長選択スイッチと、出力先に対応した複数の出力側波長選択スイッチとを備えてもよい。例えば、光減衰器は可変光減衰器１１−１〜１１−Ｎであり、入力側波長選択スイッチは波長選択スイッチ１２−１１〜１２−１Ｎであり、出力側波長選択スイッチは波長選択スイッチ１２−２１〜１１−２Ｎである。光減衰器は、対応する入力側シングルコアファイバから入力した光を減衰させる。入力側波長選択スイッチは、対応する光減衰器において減衰させた光それぞれを波長により分離し、分離した光をそれぞれ当該光の出力先に応じた出力側シングルコアファイバに出力する。出力側波長選択スイッチは、複数の入力側波長選択スイッチから入力した光を合波して、出力先に応じた出力側シングルコアファイバに出力する。制御部は、入力側波長選択スイッチ及び出力側波長選択スイッチにおける各波長の光パワーを揃えるように減衰量を調整する。
【００４３】
上記のように本実施形態の光ノード装置は、クラッド励起光増幅器と、コア励起光増幅器と、可変光減衰器を備えた光クロスコネクトスイッチとを備え、光ノード装置の入力信号光パワー及び出力光パワーの検出値に基づいてこれらの利得制御を行う。これにより、波長多重された光信号の単一波長あたりの入力信号光パワーの変化があっても、単一波長あたりの出力信号光パワーを一定に制御できる利点を有する。
【００４４】
以上、この発明の実施形態について図面を参照して詳述してきたが、具体的な構成はこの実施形態に限られるものではなく、この発明の要旨を逸脱しない範囲の設計等も含まれる。
【符号の説明】
【００４５】
１…クロスコネクトスイッチ
２…クラッド励起マルチコア光増幅器
３−１〜３−Ｎ…コア励起シングルコア光増幅器
４−１〜４−３…ファンアウト
５−１、５−２１〜５−２Ｎ…光分岐器
６−１１〜６−１Ｎ、６−２１〜６−２Ｎ…光パワー検出器
７…制御器
１１−１〜１１−Ｎ…可変光減衰器
１２−１１〜１２−１Ｎ、１２−２１〜１１−２Ｎ…波長選択スイッチ
２１…マルチコアファイバ
２２…励起光源
２３−１、２３−２…合分波器
３１…シングルコアファイバ
３２−１、３２−２…励起光源
３３−１、３３−２…合分波器
１０１−１〜１０１−Ｍ…光ノード装置
２０１−１１〜２０１−１Ｍ、２０１−２１〜２０１−２Ｍ…伝送マルチコアファイバ
【図１】
2019139029.tif 000003
【図２】
2019139029.tif 000004
【図３】
2019139029.tif 000005
【図４】
2019139029.tif 000006
【図５】
2019139029.tif 000007
【図６】
2019139029.tif 000008
【図７】
2019139029.tif 000009
【図８】
2019139029.tif 000010
【図９】
2019139029.tif 000011
【図１０】
2019139029.tif 000012
【図１１】
2019139029.tif 000013
【図１２】
2019139029.tif 000014